(57)【要約】【課題】クッションを着座用に使用しながら、カップホルダーを使用しうるようにしたスポーツ観戦用多機能物品を提供する。【解決手段】着座用クッション兼食事用トレイである比較的剛性のあるクッション体を設けたクッション片１と、カップホルダー３を設けたホルダー支持片２とを具備する。クッション片１とホルダー支持片２との間には、提げ手４ａ及び／又は４ｂが設けられている。クッション片１とホルダー支持片２とは、提げ手４ａ及び／又は４ｂが設けられている箇所を折り曲げ部として、折り曲げ自在に接合されている。このスポーツ観戦用多機能物品は、略矩形の布地の中央線に沿って提げ手４ａ及び／又は４ｂを縫着し、この中央線よりも右側の布地片に、比較的剛性のあるクッション体を縫着してクッション片１とし、この中央線よりも左側の布地片に、飲料容器を把持しうるカップホルダー３を縫着してホルダー支持片２とすれば、簡単に得ることができる。【選択図】    図２
2004329582.tif 000002
【特許請求の範囲】
【請求項１】
着座用クッション兼食事用トレイである比較的剛性のあるクッション体を設けたクッション片と、該クッション片に折り曲げ自在に接合され、飲料容器を把持しうるカップホルダーを設けたホルダー支持片とを具備することを特徴とするスポーツ観戦用多機能物品。
【請求項２】
着座用クッション兼食事用トレイである比較的剛性のあるクッション体を設けたクッション片と、該クッション片に折り曲げ自在に接合され、飲料容器を把持しうるカップホルダーを設けたホルダー支持片と、該クッション片と該ホルダー支持片との折り曲げ部に設けられた提げ手とを具備することを特徴とするスポーツ観戦用多機能物品。
【請求項３】
比較的剛性のあるクッション体として、半硬質のポリウレタン発泡体を用いる請求項１又は２記載のスポーツ観戦用多機能物品。
【請求項４】
カップホルダーは飲料容器の略全体を覆い、且つ、カップホルダーの材質はポリウレタン発泡体である請求項１又は２記載のスポーツ観戦用多機能物品。
【請求項５】
提げ手が、肩掛け用提げ手及び／又は手提げ用提げ手である請求項２記載のスポーツ観戦用多機能物品。
【請求項６】
クッション片の表面に透明フィルムが設けられており、該クッション片と該透明フィルムとの間に、団扇などのシート状物が挿入しうるようになされている請求項１又は２記載のスポーツ観戦用多機能物品。
【請求項７】
クッション片の裏面に、椅子に係止しうる紐が設けられている請求項１又は２記載のスポーツ観戦用多機能物品。
【請求項８】
ホルダー支持片の表面に、ポケットが設けられている請求項１又は２記載のスポーツ観戦用多機能物品。
【請求項９】
ポケットの表面に、ごみ袋の取付具が設けられている請求項８記載のスポーツ観戦用多機能物品。
【請求項１０】
略矩形の布地の中央線に沿って提げ手を縫着すること、該中央線よりも右側の布地片に、着座用クッション兼食事用トレイである比較的剛性のあるクッション体を縫着してクッション片とすること、該中央線よりも左側の布地片に、飲料容器を把持しうるカップホルダーを縫着してポルダー支持片とすることを特徴とするスポーツ観戦用多機能物品の製造方法。
【発明の詳細な説明】
【０００１】
【発明の属する技術分野】
本発明は、スポーツ観戦時に、食事用トレイとして、或いは着座用クッションとして、或いは飲料容器のカップホルダーなどとして種々の用途に使用しうるスポーツ観戦用多機能物品及びその製造方法に関するものである。
【０００２】
【従来の技術】
野球やサッカーなどのスポーツを観戦するとき、多くの人は椅子に腰掛けて観戦している。そして、この椅子には、座布団や着座用クッション及びテーブルが設けられていないことが多い。このため、座布団やクッションは、別途、持参するか又は観戦場で借りなければならなかった。また、テーブルが設けられていないため、昼食や夕食を取ろうとすると、自らの膝の上に弁当などを置いて、食しなければならなかった。さらに、ビールやジュースなどが収納されている各種飲料容器は、手に持つか又は床に置かなければならなかった。したがって、弁当などに収納されている食物をこぼしやすく、またビールやジュースなどもこぼしやすく、衣服が汚れたり、床が汚れるということがあった。
【０００３】
このため、着座用クッションの裏面に、飲料容器のカップホルダーを設けたスポーツ観戦用クッションが提案されている（特許文献１）。このスポーツ観戦用クッションは、クッション及びビールなどが収納された飲料を持参するには便利である。しかしながら、クッションの裏面にカップホルダーが設けられているため、クッションを着座用に使用しているときは、カップホルダーが使用できず、従来と同様にビールやジュースなどの飲料容器は手に持つか又は床に置かなければならなかった。また、弁当なども、従来と同様に、自らの膝の上に置いて、食しなければならなかった。
【０００４】
【特許文献１】
実開昭６３−１３５８５１号のマイクロフィルム（第２頁、実用新案登録請求の範囲）
【０００５】
【発明が解決しようとする課題】
そこで、本発明は、クッションを着座用に使用しながら、カップホルダーを使用しうるようにすると共に、クッションとして比較的剛性のあるものを用いて、食事用トレイとしても使用しうるようにしたスポーツ観戦用多機能物品を提供しようというものである。
【０００６】
【課題を解決するための手段】
上記した課題を解決するため、本発明は、折り曲げ可能な二片を持つ物品であって、一方の片にクッションを、他方の片にカップホルダーを設けたものである。つまり、折り曲げた状態で使用することによって、着座用クッションとしてもカップホルダーとしても使用しうるようにしたものである。
【０００７】
本発明の具体的な構成は以下のとおりである。すなわち、本発明は、着座用クッション兼食事用トレイである比較的剛性のあるクッション体を設けたクッション片と、該クッション片に折り曲げ自在に接合され、飲料容器を把持しうるカップホルダーを設けたホルダー支持片とを具備することを特徴とするスポーツ観戦用多機能物品に関するものである。さらに、このスポーツ観戦用多機能物品において、クッション片とホルダー支持片との折り曲げ部に提げ手が設けられていることを特徴とするスポーツ観戦用多機能物品に関するものである。
【０００８】
また、本発明に係るスポーツ観戦用多機能物品の好適な製造方法は、図１に概念的に示したように、略矩形の布地の中央線に沿って提げ手を縫着すること、該中央線よりも右側（図１のａ側）の布地片に、着座用クッション兼食事用トレイである比較的剛性のあるクッション体を縫着してクッション片とすること、該中央線よりも左側の布地片（図１のｂ側）に、飲料容器を把持しうるカップホルダーを縫着してホルダー支持片とすることを特徴とするものである。なお、提げ手、クッション体及びカップホルダーの縫着順序は任意である。
【０００９】
【用語の説明】
本発明において、「比較的剛性のあるクッション体」とは、着座用クッション体として用いたとき、ある程度のクッション性がある一方、食事用トレイとして使用したとき、その形状が多少の押圧力では変形しないものを意味している。つまり、着座用クッション体としても、食事用トレイとしても使用しうる程度に、クッション性と剛性を持つもののことを意味している。
「クッション片」とは、クッション体が設けられている領域のことを意味している。
「ホルダー支持片」とは、クッション片に折り曲げ自在に接合されている領域を意味している。この領域には、カップホルダーが設けられているので、便宜上、ホルダー支持片と称している。
「折り曲げ部」とは、折り曲がる部分のことを意味している。すなわち、クッション片とホルダー支持片とは、折り曲げ自在に接合されているのであるから、クッション片とホルダー支持片との境界が折り曲がる部分である。
【００１０】
【発明の実施の形態】
図２は、本発明の一例に係るスポーツ観戦用多機能物品の斜視図である。１は、クッション体が設けられてなるクッション片である。クッション体としては、比較的剛性のあるものであれば、どのようなものでも採用でき、たとえば、半硬質のポリウレタン発泡体などが用いられる。クッション体をそのままクッション片として用いることも可能であるが、一般的には、防水性布帛などで包み、端縁を縫製してクッション片１とする。クッション片１の表面には、野球の球団などのキャラクターやロゴなどを印刷しておいてもよい。
【００１１】
クッション片１の表面に、透明フィルム１１を積層縫着しておいてもよい。この縫着は、一方を縫着せずに三方を縫着するのが好ましい。そして、縫着していない一方が口となり、その口から団扇１２などのシート状物を出し入れ自在となるよう挿入しておくのが好ましい。団扇１２には、野球であれば、選手の背番号や名前などを印刷しておき、応援するときには、この団扇１２を用いればよい。また、持ち運びするときは、団扇１２を挿入した状態としておけば、透明フィルム１１を通して、背番号や名前などを視認できる。したがって、応援グッズとしても、購買意欲を喚起するものである。なお、団扇１２以外に、その他の応援用プラカード片などのシート状物を挿入しておいてもよい。
【００１２】
クッション片１の裏面には、適宜、紐１３ａ及び／又は１３ｂが設けられていてもよい。この紐１３ａ及び／又は１３ｂは、椅子にクッション片１を固定するためのものである。たとえば、長椅子にクッション片１を固定するときは、奥行き方向に設けられている紐１３ｂを用いればよい。その他の椅子の場合には、１３ａ又は１３ｂを用いて固定すればよい。紐１３ａ及び／又は１３ｂとしては、たとえば面ファスナーを用いれば、椅子に掛け渡して、その端辺を手指で押圧するだけで、簡単にクッション片１を椅子に固定することができる。
【００１３】
２はホルダー支持片であり、カップホルダー３が設けられている。野球やサッカーの観戦時には、通常、冷えた飲料を飲む場合が多いので、保冷機能を持つカップホルダー３を設けるのが好ましい。すなわち、カップホルダー３の材質としてポリウレタン発泡体の如き保冷機能を持つものを用い、それで飲料容器の略全体を覆う形状とするのが好ましい。カップホルダー３を設ける位置は任意である。図２では、ホルダー支持片２の中央上部に設けたが、図５に示したように、上隅部に設けてもよい。後述する使用例からも明らかなように、ホルダー支持片２は、人の足のふくらはぎに接する位置になることがある。したがって、図２に示した位置にカップホルダー３を設けた場合は、男性用として好適であり、図５に示した位置にカップホルダー３を設けた場合は、女性用として好適である。
【００１４】
ホルダー支持片２には、各種ポケット５が設けられていてもよい。ポケット５が設けられていると、種々のものを収納するのに便利である。また、ポケット５の表面に、ごみ袋の取付具６が設けられていてもよい。取付具６としては、たとえばテープ状面ファスナーなどが用いられる。テープ状面ファスナーでループを形成し、ループ内にごみ袋の把手を通せばよい。
【００１５】
クッション片１とホルダー支持片２との折り曲げ部には、提げ手４ａ及び／又は４ｂが設けられていてもよい。すなわち、クッション片１とホルダー支持片２との間に、提げ手４ａ及び／又は４ｂを設けておくと、提げ手４ａ及び／又は４ｂを持って提げたとき、提げ手４ａ及び／又は４ｂが設けられている箇所を折り曲げ部として、クッション片１とホルダー支持片２とが自動的に折り畳まれる。したがって、クッション片１とホルダー支持片２との間に、提げ手４ａ及び／又は４ｂを設けると、自動的に、その提げ手４ａ及び／又は４ｂを設けた箇所が折り曲げ部となるのである。提げ手４ａは肩掛け用提げ手であり、提げ手４ｂは手提げ用提げ手である。提げ手は、いずれか一方が設けられていてもよいし、両方が設けられていてもよい。
【００１６】
本発明に係るスポーツ観戦用多機能物品の好適な製造方法は、以下のとおりである。まず、略矩形の一枚の布地を準備する。この布地は、防水性布帛であるのが好ましく、たとえば、ナイロン製防水布帛が好適である。そして、この布地の中央線より右側の約半分の布地片に、着座用クッション兼食事用トレイである比較的剛性のあるクッション体を縫着して、クッション片１を得る。縫着方法としては、右側の約半分の布地片上にクッション体を置き、このクッション体表面を同様の防水布帛で覆った後、四方の端縁をミシンなどで縫着すればよい。一方、この布地の中央線より左側の約半分の布地片に、カップホルダー３を縫着してホルダー支持片２を得る。カップホルダー３の形状及び材質は任意であるが、好ましいのは飲料容器の略全体を覆うカップ形状とし、材質は保冷機能を持つポリウレタン発泡体を用いるのがよい。以上のようにして、クッション片１とホルダー支持片２とが、布地の中央線で折り曲げ自在となって接合しているスポーツ観戦用多機能物品を得ることができる。
【００１７】
この場合、布地の中央線に沿って、さらに提げ手４ａ及び／又は４ｂを縫着するのが好ましい。この提げ手４ａ及び／又は４ｂを縫着すると、提げ手４ａ及び／又は４ｂを持って提げると、自動的に、布地の中央線で折り畳まれるからである。したがって、提げ手４ａ及び／又は４ｂを設けると、この提げ手４ａ及び／又は４ｂを設けた中央線が、折り曲げ部となる。
【００１８】
次に、本発明に係るスポーツ観戦用多機能物品の使用方法について説明する。まず、本発明に係るスポーツ観戦用多機能物品を持ち運びするときは、図６に示すように、クッション片１とホルダー支持片２とが重合するように折り畳み、肩掛け用提げ手４ａを肩に掛ければよい。また、クッション片１とホルダー支持片２とが重合するように折り畳み、手提げ用提げ手４ｂで手に持ってもよい。各提げ手４ａ及び／又は４ｂが、クッション片１とホルダー支持片２との間に設けられている場合は、提げ手４ａ及び／又は４ｂを持てば、自動的に、クッション片１とホルダー支持片２とは重合され、折り畳まれる。提げ手４ａ及び／又は４ｂを、その他の箇所に設けているときは、クッション片１とホルダー支持片２とを折り畳んだ後に、提げ手４ａ及び／又は４ｂを持てばよい。
【００１９】
本発明に係るスポーツ観戦用多機能物品を用いて食事をするときは、図７に示すように、クッション片１を膝の上に置く。そして、ホルダー支持片２は、膝下に垂下させる。なお、図７では、ホルダー支持片２を人の正面に垂下させたが、右側面や左側面にホルダー支持片２を垂下させてもよい。そして、クッション片１の上に、弁当などを置いて、食することができる。飲料物は、カップホルダー３内に置いておいてもよいし、クッション片１の上に置いておいてもよい。食事が終われば、残飯や各種容器などは、ごみ袋に入れて廃棄すればよい。
【００２０】
食事後、クッション片１を着座用クッションとして使用し、椅子に敷く。そして、クッション片１の上に着座する。一方、クッション片１から垂下しているホルダー支持片２は、膝下に垂下した状態のままで、足のふくらはぎ側に位置するように着座する。この際、カップホルダーが中央上部に設けられていると（図２）、カップホルダーは股の箇所に位置するようになる。この位置でカップホルダーに、ビールなどが入っている容器を把持しうるわけであるが、股の箇所であることから、男性用としては好適であるが、女性用としてはスカートを着用していたような場合には不適当である。この場合は、カップルホルダーが上隅部に設けられているもの（図５に示したもの）を用いればよい。あるいはまた、人の右側面側や左側面側にホルダー支持片２を垂下させて、クッション片１上に着座してもよい。この際、クッション片１と透明フィルム１１の間に挿入されている応援用団扇１２などを取り出し、これを用いて応援することもできる。
【００２１】
【作用及び発明の効果】
本発明に係るスポーツ観戦用多機能物品は、着座用クッション兼食事用トレイである比較的剛性のあるクッション体を設けたクッション片と、飲料容器を把持しうるカップホルダーを設けたホルダー支持片とが、折り曲げ自在に接合されている。したがって、クッション片を着座用として使用した場合、ホルダー支持片は折り曲げ部から下方へ垂下する。よって、本発明は、クッション片を着座用に使用しながら、飲料容器をカップホルダーに置いて応援することができるので、飲料容器を手に持ったまま又は床に置いて応援する場合に比べて、飲料がこぼれるのを防止できる。また、クッション片は、食事用トレイとしても使用しうるので、弁当などを安定して置くことができ、食物などがこぼれるのを防止できる。したがって、衣服が汚れたり、床が汚れるのを防止しうるという作用効果を奏する。
【００２２】
また、本発明に係るスポーツ観戦用多機能物品において、クッション片とホルダー支持片との間に、提げ手を設けた場合には、この提げ手を持って提げると、自動的にクッション片とホルダー支持片とが折り畳まれて重合する。すなわち、提げ手が設けられていることによって、クッション片とホルダー支持片との間が折り曲げ部となる。したがって、持ち運びする際に、自動的にクッション片とホルダー支持片とが折り曲げ部から折り畳まれて重合するから、提げ手を持って提げただけで、嵩張らずに持ち運びできるという作用効果を奏する。
【図面の簡単な説明】
【図１】本発明に係るスポーツ観戦用多機能物品の製造方法を概念的に示した図である。
【図２】本発明の一例に係るスポーツ観戦用多機能物品の斜視図である。
【図３】図２に示したスポーツ観戦用多機能物品に挿入されている団扇を取り出した状態の斜視図である。
【図４】図２に示したスポーツ観戦用多機能物品を、裏面側から見た斜視図である。
【図５】本発明の他の例に係るスポーツ観戦用多機能物品の斜視図である。
【図６】図５に示したスポーツ観戦用多機能物品を持ち運びする際の一つの状態を示した斜視図である。
【図７】図５に示したスポーツ観戦用多機能物品を用いて、食事をする際の一つの状態を示した斜視図である。
【符号の説明】
１    クッション片
２    ホルダー支持片
３    カップホルダー
４ａ  肩掛け用提げ手
４ｂ  手提げ用提げ手
５    ポケット
６    ごみ袋の取付具
【図１】
2004329582.tif 000003
【図２】
2004329582.tif 000004
【図３】
2004329582.tif 000005
【図４】
2004329582.tif 000006
【図５】
2004329582.tif 000007
【図６】
2004329582.tif 000008
【図７】
2004329582.tif 000009